(57)【要約】【課題】      座席外部への取り付けが可能な、コンパクトで軽い低音再生用のスピーカユニットを提供する。【解決手段】  筐体の上方の面に、各音響管の開放端を配置したスピーカユニットを製作する。そして、そのスピーカユニットを、座席外部、例えば座席の背もたれ背面部の上方位置に取り付け部及び連結部材を介して取り付ける。これにより、音響管の開放端は着座者の両耳の近傍位置に配置される。よって、着座者の両耳近傍に対して低音を再生することができる。また、着座者の両耳近傍に低音再生することができるので、駆動用スピーカの出力音圧レベルはそれ程必要ない。よって、小口径の駆動用スピーカをスピーカユニットに適用でき、スピーカユニット自体をコンパクトに且つ軽量にすることができる。さらに、スピーカユニットは、例えば座席の背もたれ背面部に取り付けられるので、その座席周囲にそのスピーカユニットを設けるための場所をわざわざ確保する必要がない。したがって、例えば、車両の座席外部に取り付けた場合には、車内の狭いスペースを有効に活用することができる。【選択図】    図５
2005159411.tif 000002
【特許請求の範囲】
【請求項１】
一対の音響管を備えるスピーカ装置と、
前記スピーカ装置を収容した筐体と、
前記筐体を座席外部に取り付けるための取り付け部材と、を備え、
前記一対の音響管の端部は、前記筐体を前記座席外部に取り付けたときに頂面となる前記筐体の放音面において外部へ開放していることを特徴とするスピーカユニット。
【請求項２】
前記一対の音響管の各端部は、前記座席への着座者の左右耳元近傍にそれぞれ位置することを特徴とする請求項１に記載のスピーカユニット。
【請求項３】
前記取り付け部材は、前記筐体の放音面に隣接する左右の側面に設けられ、前記筐体を前記座席に巻き付けて保持するための線状部材の取り付け部を備えることを特徴とする請求項１又は２に記載のスピーカユニット。
【請求項４】
前記取り付け部材は、前記筐体の放音面に設けられ、前記筐体を前記座席の上部からつり下げて保持するための線状部材の取り付け部を備えることを特徴とする請求項１乃至３のいずれか一項に記載のスピーカユニット。
【請求項５】
前記筐体の放音面において、外部へ開放した前記一対の音響管の端部は、平均的な人間の両耳の間隔に略等しい間隔だけ離隔していることを特徴とする請求項２に記載のスピーカユニット。
【発明の詳細な説明】
【技術分野】
【０００１】
本発明は、特に車両などの座席外部に取り付けられる低音再生用のスピーカユニットに関する。
【背景技術】
【０００２】
従来から低音再生用のスピーカユニットとして、バスレフ形式やケルトン形式などの位相反転形式のスピーカユニットが知られている。
【０００３】
例えば、バスレフ形式のスピーカユニットの場合は、内部に空洞を有する筐体、いわゆるエンクロージャと、そのエンクロージャの１つの側面に設けられた低音再生用のスピーカと、その同じ側面に設けられたダクトとを備えている。このダクトは筒状に形成されており、エンクロージャの内部とエンクロージャの外部とを連結している。そして、かかるスピーカユニットは、音再生時に、スピーカ振動板の背面から放射された音波の位相を反転させ、その音波をダクトを介してエンクロージャの外部に放射する。これにより、そのスピーカユニットは、スピーカ振動板から前面に放射される音波を強めて低音再生を可能としている。
【０００４】
この種のスピーカユニットとして、例えば実使用帯域の位相特性をフラットにして歪みを低減し、かつ、低域の音像定位を改善した低域再生用のスピーカユニットが提案されている（例えば、特許文献１を参照）。また、チャンバが密閉構造の場合に生じる圧力の増減を緩和することによって重低音再生を可能とし、さらに異常音の発生を低減するサブウーハボックス装置が提案されている（例えば、特許文献２を参照）。
【０００５】
尚、サブウーハのレベル調整を正確に行えるようにしたサブウーハレベル調整装置が提案されている（例えば、特許文献３を参照）。
【０００６】
上述のスピーカユニットは、特に車両などに搭載されることが多い。そのスピーカユニットは、通常、車内の適当な場所、例えば車内の後部や座席周囲などの空きスペースに設置される。このため、そのスピーカユニットは、車内の着座者の耳元から離れた場所に設置されることになる。したがって、そのようなスピーカユニットには、車内の着座者の耳元に十分な低音を放音する必要があるため出力パワーの大きなスピーカが用いられる。
【０００７】
しかし、かかるスピーカは口径が大きく且つ磁気回路が重たいので、スピーカユニット自体も形状が大きく且つ重くなる。このため、車内の狭いスペースをそのスピーカユニットが専有してしまうという問題がある。
【０００８】
【特許文献１】特開２００２−１５９０８３号公報
【特許文献２】特開平９−２７５５９５号公報
【特許文献３】特開２００２−１８６０８７号公報
【発明の開示】
【発明が解決しようとする課題】
【０００９】
本発明が解決しようとする課題としては、上記のようなものが例として挙げられる。本発明は、座席外部への取り付けが可能な、コンパクトで軽い低音再生用のスピーカユニットを提供することを課題とする。
【課題を解決するための手段】
【００１０】
請求項１に記載の発明は、スピーカユニットにおいて、一対の音響管を備えるスピーカ装置と、前記スピーカ装置を収容した筐体と、前記筐体を座席外部に取り付けるための取り付け部材と、を備え、前記一対の音響管の端部は、前記筐体を前記座席外部に取り付けたときに頂面となる前記筐体の放音面において外部へ開放していることを特徴とする。
【発明を実施するための最良の形態】
【００１１】
本発明の好適な実施形態では、スピーカユニットは、一対の音響管を備えるスピーカ装置と、前記スピーカ装置を収容した筐体と、前記筐体を座席外部に取り付けるための取り付け部材と、を備え、前記一対の音響管の端部は、前記筐体を前記座席外部に取り付けたときに頂面となる前記筐体の放音面において外部へ開放している。
【００１２】
上記のスピーカユニットによれば、例えば、低音の再生が可能な一対の音響管を備えるスピーカ装置が筐体に収容されて構成される。筐体は、取り付け部材により、例えば車両などの座席外部に取り付けられる。ここで、一対の音響管の端部は、前記筐体を前記座席外部に取り付けたときに頂面となる前記筐体の放音面において外部へ開放しており、より好適には、前記座席への着座者の左右耳元近傍にそれぞれ位置する。よって、スピーカユニット駆動時、着座者の両耳近傍に対して低音を再生することができる。
【００１３】
また、着座者の両耳近傍に低音再生することができるので、スピーカ装置の出力音圧レベルはそれ程必要ない。よって、口径の小さい小型のスピーカ装置をスピーカユニットに適用できる。したがって、スピーカユニット自体をコンパクトに且つ軽量にすることができる。これにより、音響管の形状等も自由に変えることができるので、コンパクトで且つ軽量のスピーカユニットの設計が可能となる。尚、このスピーカユニットでは、音響管の長さや断面積などを変えることにより、最低共振周波数の設定を容易に行うことができる。
【００１４】
上記のスピーカユニットの一態様では、前記取り付け部材は、前記筐体の放音面に隣接する左右の側面に設けられ、前記筐体を前記座席に巻き付けて保持するための線状部材の取り付け部を備えることができる。また、前記取り付け部材は、前記筐体の放音面に設けられ、前記筐体を前記座席の上部からつり下げて保持するための線状部材の取り付け部を備えることができる。こうして、スピーカユニットを座席に確実に固定することができる。
【００１５】
上記のスピーカユニットの一態様では、前記筐体の放音面において、外部へ開放した前記一対の音響管の端部は、平均的な人間の両耳の間隔に略等しい間隔だけ離隔していることが好ましい。これにより、スピーカユニットを座席に取り付けたときに、一対の音響管の端部を着座者の耳元に的確に位置させることができる。
【００１６】
また、上記のスピーカユニットを座席外部へ取り付ける際には、前記一対の音響管の端部を着座者の両耳の近傍に配置した状態で、前記スピーカユニットを取り付け部を介して座席外部に取り付ける。
【実施例】
【００１７】
以下、図面を参照して本発明の好適な実施例について説明する。
【００１８】
本実施例は、座席外部への取り付けが可能な、コンパクトで軽い低音再生用のスピーカユニットを提供する。
【００１９】
図１に、本発明の実施例に係るスピーカユニット１００の構成を模式的に示す。図１は、スピーカユニット１００の斜視図を示す。以下、図１を参照して、本発明の実施例に係るスピーカユニット１００の構成について説明する。
【００２０】
スピーカユニット１００は、音響容積部分１と、音響管２と、駆動用スピーカ３と、配線５と、内部に空間を有する筐体４とを備える。尚、スピーカユニット１００は、後述するように各種座席（各種椅子を含む、以下同じ）の外部に取り付けられて使用される。
【００２１】
音響容積部分１は、音響管２の開放端２ａ、及び駆動用スピーカ３の放音側にそれぞれ連結している。
【００２２】
音響管２は２つの開放端２ａ、２ｂを有しており、一方の開放端２ａは前記のように音響容積部分１と接続しており、他方の開放端２ｂは筐体４の上方の面４ｃに接続している。２つの開放端２ｂの間隔は、平均的な人間の両耳の間隔程度とすることが望ましく、例えば１０〜２０ｃｍ程度とすることができる。尚、音響管２は、後述する座席の大きさに対応するように、尚且つ所定帯域の低音を放音するために湾曲状に形成されているが、このような形状に限定されるものではない。したがって、その音響管２は、必要に応じてＵ字状や直線状などの各種の形状とすることができる。
【００２３】
駆動用スピーカ３は、低音再生に適し、小型で且つ軽量なスピーカが好ましい。配線５は、後述する音響ソースなどから駆動用スピーカ３に電力及び音声信号を供給するための配線である。配線５は、駆動用スピーカ３の図示しないボイスコイルと接続されている。
【００２４】
筐体４は、開口部４ａと、取り付け部４ｂとを備えている。開口部４ａは筐体４の上方の面４ｃに複数形成されており、各開口部４ａの位置は各音響管２の開放端２ｂの位置に対応している。取り付け部４ｂは、筐体４の上方の面４ｃと、その上方の面４ｃに隣接する側面４ｄ、４ｅにそれぞれ複数形成されている。取り付け部４ｂは、その内部に所定形状の貫通穴４ｂａが形成されている。この貫通穴４ｂａは、紐などの固定部材によりスピーカユニット１００を座席外部に取り付ける機能を果たす。
【００２５】
次に、図２を参照して、スピーカユニット１００への電力及び音声信号の供給方法について簡単に述べる。
【００２６】
スピーカユニット１００への電力供給は、例えば、矢印Ｓ１に示すように音響ソース１０を通じてなされる。具体的には、音響ソース１０は、所定の大きさの電力を配線５を通じて駆動用スピーカ３へ出力する（信号Ｓ１）。これにより、スピーカユニット１００への電力供給が行われる。一方、スピーカユニット１００への音声信号の供給は、音響ソース１０、合成器１１、ＬＰＦ（Low Pass Filter；低域通過フィルタ）１２、及びアンプ１３を通じてなされる。
【００２７】
音響ソース１０としては、ＣＤ(Compact Disc)プレーヤやＭＤ（Mini Disc）プレーヤなどが該当する。音響ソース１０は、左右２チャンネルの音声信号Ｌ、Ｒを合成器１１へ出力する。合成器１１は、その出力された音声信号Ｌ、Ｒを加算し、その加算した（Ｌ＋Ｒ）音声信号をＬＰＦ１２へ出力する（信号Ｓ２）。ＬＰＦ１２は所定の周波数成分をカットする。具体的には、ＬＰＦ１２は、合成器１１を通じて出力された（Ｌ＋Ｒ）音声信号から所定の低域周波数の音声信号のみを抽出し、その抽出した音声信号をアンプ１３へ出力する（信号Ｓ３）。アンプ１３は、その抽出した音声信号を所定の増幅率で増幅し、その増幅した音声信号を配線５を介して駆動用スピーカ３へ出力する（信号Ｓ４）。こうして、駆動用スピーカ３は、音響ソース１０などを通じて電力及び音声信号の供給を受けると、図示しない振動板を通じて音響容積部分１へ低域の音波を放射する。
【００２８】
このスピーカユニット１００では、音響容積部分１と音響管２とによりヘルムホルツの共鳴器を構成している。これにより、スピーカユニット１００は、音響容積部分１及び音響管２によるヘルムホルツ共鳴器としての共振周波数と、音響管２自身による共振周波数の２つの周波数で共振を生じる。
【００２９】
ここで、図３にスピーカユニット１００内に収容された音響容積部分１、音響管２、及び駆動用スピーカ３からなる構造体の構成を模式的に示す。尚、図３では、説明の便宜上、湾曲状の音響管２を直線状にしている。図３に示すように、直線状にした音響管２の長さをＬ、音響管２の断面積をＳ、音響容積部分１の音響容積をＢ、音速をＣとすると、スピーカユニット１００によるヘルムホルツの共振周波数ｆ0及び音響管２の共振周波数ｆは、それぞれ
【００３０】
【数１】
2005159411.tif 000003
のように得られる。尚、音響管２の共振周波数は、音響管２の両端開放の場合と片側開放の場合とで異なる。
【００３１】
そして、駆動用スピーカ３を通じて音響容積Ｂ内の空気を振動させると、ヘルムホルツの共振周波数、即ち音響容積Ｂのコンプライアンスと音響管２内の空気質量との共振周波数で音響管２の開放端２ｂから最も高い音圧で放音がなされる。また、図３に示すように、音響管２の右側には音響容積Ｂが存在するため、音響管２の共振周波数は、両端開放時と片端開放時の間に起きる。この場合、上記のヘルムホルツの共振周波数よりも高い所定の周波数で音響管２の開放端２ｂから放音がなされる。
【００３２】
よって、音響容積部分１及び音響管２によるヘルムホルツの共振と、音響管２自身による共振によって、所望の低音域、例えば、最低共振周波数が３００Ｈｚ以下の範囲において音圧レベルが高い周波数を得ることができ、スピーカユニット１００を低音用スピーカ装置として利用することができる。尚、最低共振周波数は、必要に応じて、音響管２の断面積Ｓ及びその長さＬ、並びに音響容積部分１の音響容積Ｂを夫々適当な大きさや長さにすることにより所望の値に設定することができる。
【００３３】
上記の実施例では、着座者の左右の耳元に適切な音量の低音を再生するため、筐体４内に、音響容積部分１、音響管２、及び駆動用スピーカ３からなる構造体を２組収容し、低音再生用スピーカ装置としている。但し、これに限らず、その筐体４内に収容するその構造体の数量は必要に応じて適宜変えることが可能である。
【００３４】
例えば、他の形態として、音響管２の長さ、断面積、形状、及び配置などを変えることなく、筐体４内に音響容積部分及び駆動用スピーカを夫々１つだけ設けた低音再生用のスピーカユニットを構成することもできる。図４に、そのスピーカユニット１１０の構成を模式的に示す。
【００３５】
スピーカユニット１１０は、図４に示すように、音響容積部分２０内に駆動用スピーカ２１が１つだけ設けられる。かかる形態のスピーカユニット１１０では、音響ソース１０側から配線５を通じて駆動用スピーカ２１に電力及び音声信号が供給されると、その駆動用スピーカ２１の振動板（図示略）が音響容積部分２０の長軸方向に振動し、その振動板を通じて駆動用スピーカ２１の前面方向（矢印Ｓ１０）及び背面方向（矢印Ｓ１１）からそれぞれ低域の音波が放射される。これらの音波は、音響容積部分２０、及び各音響管２の開放端２ｂを通じて外部へと放射され、スピーカユニット１１０により低音再生が行われる。
【００３６】
ところで、スピーカユニット１１０では、駆動用スピーカ２１を１つだけしか設けていない。このため、駆動用スピーカ２１の規定の出力音圧によっては、所望する低音を十分に再生できない可能性がある。したがって、所望する低音再生を十分に行えるようにするためには、スピーカユニット１１０に、例えば、上述した駆動用スピーカ３よりも振動板の口径が大きいスピーカを適用することが好ましい。
【００３７】
以上、本発明のスピーカユニット１００によれば、筐体４に複数の取り付け部４ｂを形成しているので、その取り付け部４ｂを通じてスピーカユニット１００を座席外部、例えば座席の背もたれ背面部の上方位置に簡易に取り付けることができる。このため、その座席周囲にそのスピーカユニット１００を設けるための場所をわざわざ確保する必要がない。したがって、例えば、車両の座席の背もたれ背面部に取り付けた場合、車内の狭いスペースがスピーカユニット１００により専有されることがない。よって、車内空間が極めて狭い軽自動車などに対してもスピーカユニット１００を適用できる。これにより、車内の狭いスペースを有効に活用することができる。
【００３８】
また、そのスピーカユニット１００を座席外部、例えば座席の背もたれ背面部の上方位置に取り付けたとき、音響管２の一対の開放端２ｂは着座者の左右の耳近傍にそれぞれ配置される。したがって、スピーカユニット１００の駆動時、着座者の両耳近傍に対して低音を再生することができる。
【００３９】
また、着座者の両耳近傍に低音再生することができるので、駆動用スピーカ３の出力音圧レベルはそれ程必要ない。よって、口径の小さい小型の駆動用スピーカ３をスピーカユニット１００に適用できる。したがって、スピーカユニット１００自体をコンパクトに且つ軽量にすることができる。
【００４０】
尚、音響管２の形状等も自由に変えることができるので、コンパクトで且つ軽量のスピーカユニットの設計が可能となる。
【００４１】
次に、本発明のスピーカユニット１００の取り付け方法について述べる。本発明のスピーカユニット１００は、車両、パソコン、美容院などの各種の座席外部に取り付けられた状態で使用される。
【００４２】
先ず、本発明のスピーカユニット１００を車両の座席外部に取り付ける方法について説明する。図５乃至図７に、本発明のスピーカユニット１００を車両２００の運転席及び助手席の前部座席３０の外部に取り付けた状態を示す。図５は、その取り付け状態の側面図を示し、図６は、その取り付け状態の平面図を示す。図７は、スピーカユニット１００を前部座席３０の背もたれ３２の背面側に取り付けた状態の部分拡大図を示す。尚、図５及び図６では、スピーカユニット２００を前部座席３０に取り付けた状態を観察できるように、フロントドア及び車両２００の屋根部分を夫々省略している。
【００４３】
本発明のスピーカユニット１００では、上記したように筐体４に複数の取り付け部４ｂが形成されている。さらに、各取り付け部４ｂには貫通穴４ｂａが形成されている。一方、車両２００の前部座席３０は、ヘッド支持部３１と、背もたれ３２と、座部３３とを備えている。ヘッド支持部３１には、背もたれ３２と着脱自在に接続可能な連結部材３１ａが形成されている。
【００４４】
このような構成において、図５乃至図７を参照して理解されるように、スピーカユニット１００は、取り付け部４ｂを介して前部座席３０の背もたれ３２の背面側へ取り付けられる。具体的には、先ず、筐体４の放音面、即ち上方の面４ｃに形成された、各取り付け部４ｂの貫通穴４ｂａに紐、ロープ、バンドなどの線状又はバンド状の固定部材４１を挿入し、その固定部材４１を連結部材３１ａに引っ掛け、その固定部材４１を通じてその各取り付け部４ｂと、連結部材３１ａとを間接的に接続する。これにより、スピーカユニット１００は線状、バンド状などの固定部材４１により前部座席３０の背面につり下げられた状態で保持され、各音響管２の開放端２ｂが着座者３５の両耳近傍に配置される。
【００４５】
尚、この固定部材４０はスピーカユニット１００に付属しており、その固定部材４１の両端部には、その各端部同士を着脱自在に接続可能な部品（図示略）が取り付けられている。よって、固定部材４１の各端部に取り付けられた部品同士を接続することにより、筐体４の上方の面４ｃに形成された各取り付け部４ｂと、連結部材３１ａとを間接的に接続することができる。また、その代わりに、線状の固定部材４１の両端を取り付け部４ｂに対して取り付ける構造としてもかまわない。
【００４６】
次に、筐体４の側面４ｄ、４ｅに夫々形成された各取り付け部４ｂに線状、バンド状などの固定部材４０を挿入する。この場合の固定部材４０も紐、ロープ、ゴムバンドなどとすることができる。スピーカユニット１００に取り付けられた固定部材４０を前部座席３０に巻き付けることにより、スピーカユニット１００を前部座席３０の背面に保持することができる。こうして、図５乃至図７に示すように、各音響管２の開放端２ｂが着座者３５の両耳の近傍位置に配置された状態で、スピーカユニット１００を前部座席３０の背もたれ３２の背面側に確実に固定することができる。
【００４７】
以上のように、筐体４に形成された複数の取り付け部４ｂを通じてスピーカユニット１００を座席外部に簡易に取り付けることができる。また、そのスピーカユニット１００を座席外部に取り付けたとき、各音響管２の開放端２ｂは着座者の両耳近傍に配置される。言い換えれば、スピーカユニット１００の各音響管２の開放端２ｂは、そのスピーカユニット１００を座席に取り付けたときの頂面に相当する筐体４の上方の面４ｃに設けられており、この上方の面４ｃが放音面となっている。したがって、着座者の両耳近傍に低音再生することができるので、駆動用スピーカ３の出力音圧レベルはそれ程必要ない。よって、口径の小さい小型の駆動用スピーカ３をスピーカユニット１００に適用できる。したがって、スピーカユニット１００自体をコンパクトに且つ軽量にすることができる。尚、耳元に対しての低音再生は、聴感的に聴取者に不快感を与えないことが学術論文などにおいて実験的に実証されている。
【００４８】
また、本例のスピーカユニット１００の取り付け方法によれば、そのスピーカユニット１００を運転席又は助手席のいずれか一方に対してのみ選択的に取り付けることができる。
これにより、例えば、低音再生を好む着座者３５の座席に対してのみスピーカユニット１００を取り付けることができる。
【００４９】
さらに、本発明のスピーカユニット１００に適用される駆動用スピーカ３の出力音圧レベルはそれ程大きくない。したがって、運転席、及び助手席の両方に取り付けられたスピーカユニット１００を例え同時に使用したとしても、一方のスピーカユニット１００から放音された低音は隣席の着座者３５には聞こえにくい。したがって、各座席の着座者３５は適切な低音を聴くことができる。このため、かかるスピーカユニット１００は、オープンカーやツーシータなどの車種において低音再生を楽しむ場合に効果を発揮する。
【００５０】
次に、本発明のスピーカユニット１００をパソコン用の椅子や美容院の椅子などに適用した例を挙げる。
【００５１】
図８に、上記した方法に準じて、パソコン５０用の椅子５１の背もたれの背面側にスピーカユニット１００を取り付けた状態を側面図として示す。この例では、筐体４の上方の面４ｃに形成された取り付け部４ｂは使用しておらず、筐体４の側面４ｄ、４ｅに夫々形成された取り付け部４ｂ、及び固定部材４０のみによって、スピーカユニット１００をパソコン５０用の椅子５１の背もたれの背面側に取り付けている。なお、椅子５１にヘッド支持部や突出部などが形成されている場合には、上述の車両の座席への適用例と同様に、筐体４の上方に形成された取り付け部４ｂなどを使用することができる。
【００５２】
このように、椅子の各種形態に応じて取り付け部４ｂを適宜使用することにより、着座者３５の両耳付近に音響管２の開放端２ｂを確実に配置することができる。また、この例では、パソコン５０に付属されたスピーカと、本発明のスピーカユニット１００とによって、サラウンドシステムが構築されている。したがって、着座者３５は、そのようなサラウンドシステムにより臨場感ある音でＤＶＤ（Digital Video Disc）やゲームなどを楽しむことができる。
【００５３】
次に、図９に、上記同様の方法により、美容院３００の椅子６１の背もたれの背面側にスピーカユニット１００を取り付けた状態を背面図として示す。図９に示すように、着座者３５は鏡面台６０に向かって椅子６１に着座しており、スピーカユニット１００は、その椅子６１の背もたれの背面側に取り付けられている。この場合も、着座者３５の両耳付近に各音響管２の開放端２ｂが確実に配置される。したがって、例えば、散髪中やパーマをかけている際中などにスピーカユニット１００を駆動させることで、着座者３５はそのような時間を快適に過ごすことができる。なお、この場合、椅子６１にヘッド支持部や突出部などが形成されている場合には、上述の車両の座席への適用例と同様に、筐体４の上方に形成された取り付け部４ｂなどを使用することができる。
【図面の簡単な説明】
【００５４】
【図１】本発明のスピーカユニットの構成を斜視図として示す。
【図２】スピーカユニットへの電力及び音声信号の供給方法をブロック図として示す。
【図３】スピーカユニットによるヘルムホルツの共振周波数及び音響管の共振周波数を説明する図である。
【図４】スピーカユニットの他の形態例を模式的に示す。
【図５】車両の前部座席にスピーカユニットが取り付けられた状態を側面図として示す。
【図６】車両の前部座席にスピーカユニットが取り付けられた状態を平面図として示す。
【図７】車両の前部座席にスピーカユニットが取り付けられた状態を部分拡大した背面図として示す。
【図８】パソコン用の椅子の背もたれの背面側にスピーカユニットが取り付けられた状態を側面図として示す。
【図９】美容院の椅子の背もたれの背面側にスピーカユニットが取り付けられた状態を背面図として示す。
【符号の説明】
【００５５】
１、２０  音響容積部分
２  音響管
３、２１  駆動用スピーカ
４  筐体
４ｂ  取り付け部
５  配線
３０  前部座席
３５  着座者
４０、４１  固定部材
５１、６１  椅子
１００、１１０  スピーカユニット
２００  車両
３００  美容院
【図１】
2005159411.tif 000004
【図２】
2005159411.tif 000005
【図３】
2005159411.tif 000006
【図４】
2005159411.tif 000007
【図５】
2005159411.tif 000008
【図６】
2005159411.tif 000009
【図７】
2005159411.tif 000010
【図８】
2005159411.tif 000011
【図９】
2005159411.tif 000012